【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
セルラー・ネットワーク及び無線ローカル・エリア・ネットワーク間の通信を提供するための携帯装置であって、
セルラー信号を用いて前記セルラー・ネットワークと通信するための第１のトランシーバと、
短距離(short-range)無線信号を用いて前記無線ローカル・エリア・ネットワークと通信するための第２のトランシーバと、
記憶装置と、
前記記憶装置に連結されたプロセッサと、
を含み、
前記記憶装置は、前記無線ローカル・エリア・ネットワークにネットワーク・サービスを提供する第１のネットワーク・サービス・ソフトウェア・コンポーネントを付加するための短距離無線信号及びインターフェース・ソフトウェア・コンポーネントを用いて、前記セルラーネットワークと無線ローカル・エリア・ネットワーク間でパケットを転送するためのルータ・ソフトウエア・コンポーネントを記憶し、
前記第１のネットワーク・サービス・ソフトウェア・コンポーネントが、前記セルラー・ネットワークに連結された処理装置から、前記記憶装置内にロードされる、
ことを特徴とする装置。
【請求項２】
前記パケットは、「インターネット・プロトコル（ＩＰ）」パケットであることを特徴とする請求項１に記載の携帯装置。
【請求項３】
前記セルラー・ネットワークは、複数の公共「ＩＰ」アドレスを含み、かつ、前記無線ローカル・エリア・ネットワークは、複数の専用「ＩＰ」アドレスを含み、
前記ルータ・ソフトウエア・コンポーネントは、前記複数の公共「ＩＰ」アドレス内の第１の「ＩＰ」アドレスを、前記複数の専用「ＩＰ」アドレス内の第２の「ＩＰ」アドレスに変換する、
ことを特徴とする請求項１に記載の携帯装置。
【請求項４】
前記セルラー・ネットワークは、「インターネット」に連結されていることを特徴とする請求項１に記載の携帯装置。
【請求項５】
前記セルラー・ネットワークは、企業ネットワークに連結されていることを特徴とする請求項１に記載の携帯装置。
【請求項６】
前記セルラー・ネットワークは、専用「ＩＰ」ネットワークに連結されていることを特徴とする請求項１に記載の携帯装置。
【請求項７】
前記無線ローカル・エリア・ネットワークは、「Ｂｌｕｅｔｏｏｔｈ（登録商標）」無線ローカル・エリア・ネットワークであることを特徴とする請求項１に記載の携帯装置。
【請求項８】
前記無線ローカル・エリア・ネットワークは、「８０２．１１」無線ローカルエリアネットワークであることを特徴とする請求項１に記載の携帯装置。
【請求項９】
前記ルータ・ソフトウエア・コンポーネントは、第１セルラー・ネットワーク・アドレス及び第１ローカル・エリア・ネットワーク・アドレス間で変換するためのネットワーク・アドレス変換器（ＮＡＴ）ソフトウェア構成要素を含むことを特徴とする請求項１に記載の携帯装置。
【請求項１０】
前記ルータ・ソフトウエア・コンポーネントは、第１セルラー・ネットワーク・アドレス及び第１ローカル・エリア・ネットワーク・アドレス間で変換するためのネットワーク・アドレス・ポート変換（ＮＡＰＴ）ソフトウェア構成要素を含むことを特徴とする請求項１に記載の携帯装置。
【請求項１１】
前記ルータ・ソフトウエア・コンポーネントは、前記無線ローカル・エリア・ネットワーク内の第１無線装置と該無線ローカル・エリア・ネットワーク内の第２無線装置との間で「ＩＰ」パケットを経路指定するためのローカル経路指定ソフトウエア・コンポーネントを含むことを特徴とする請求項１に記載の携帯装置。
【請求項１２】
前記第１ネットワーク・サービス・ソフトウエア・コンポーネントは、前記処理装置からの信号に応答して第１無線装置が前記無線ローカル・エリア・ネットワークに連結されたか否かを判断するための対形成管理ソフトウエア・コンポーネントであることを特徴とする請求項１に記載の携帯装置。
【請求項１３】
前記第１ネットワークサービスソフトウエアコンポーネントは、安全なリンクを確立するための仮想専用ネットワークソフトウエアコンポーネントであることを特徴とする請求項１に記載の携帯装置。
【請求項１４】
前記第１ネットワーク・サービス・ソフトウエア・コンポーネントは、ファイアウォール・ソフトウエア・コンポーネントであることを特徴とする請求項１に記載の携帯装置。
【請求項１５】
前記第１ネットワーク・サービス・ソフトウエア・コンポーネントは、前記無線ローカル・エリア・ネットワークの利用情報を収集するための統計ソフトウエア・コンポーネントであることを特徴とする請求項１に記載の携帯装置。
【請求項１６】
前記統計ソフトウエア・コンポーネントは、前記無線ローカルエリア・ネットワーク内の第１無線装置の利用情報を収集することを特徴とする請求項１５に記載の携帯装置。
【請求項１７】
前記統計ソフトウエア・コンポーネントは、前記無線ローカルエリア・ネットワーク内の第１無線装置のアプリケーション・ソフトウエア・コンポーネントの利用情報を収集することを特徴とする請求項１５に記載の携帯装置。
【請求項１８】
前記第１ネットワーク・サービス・ソフトウエア・コンポーネントは、前記無線ローカルエリア・ネットワーク内の第１無線装置からの「ＩＰ」パケットを最適化されたセルラー・プロトコル・パケットに変換するためのリンク最適化ソフトウエア・コンポーネントを含むことを特徴とする請求項１に記載の携帯装置。
【請求項１９】
前記第１ネットワーク・サービス・ソフトウエア・コンポーネントは、前記無線ローカル・エリア・ネットワーク内の第１無線装置からパケットを抹消するための逆ファイアウォール・ソフトウエア・コンポーネントを含むことを特徴とする請求項１に記載の携帯装置。
【請求項２０】
前記第１ネットワーク・サービス・ソフトウエア・コンポーネントは、前記無線ローカルエリア・ネットワーク内の第１無線装置上の第１アプリケーション・ソフトウエア・コンポーネントからパケットを抹消するための逆ファイアウォール・ソフトウエア・コンポーネントを含むことを特徴とする請求項１に記載の携帯装置。
【請求項２１】
前記第１ネットワーク・サービス・ソフトウエア・コンポーネントは、第１無線装置のための機能を更新するために前記無線ローカルエリア・ネットワークにおいて第１無線装置にフラッシュ画像を提供するためのフラッシュ・ソフトウエア・コンポーネントを含むことを特徴とする請求項１に記載の携帯装置。
【請求項２２】
前記第１ネットワーク・サービス・ソフトウエア・コンポーネントは、第１無線装置を修復する、前記無線ローカルエリア・ネットワークにおいて第１無線装置にフラッシュ画像を提供するためのフラッシュ・ソフトウエア・コンポーネントを含むことを特徴とする請求項１に記載の携帯装置。
【請求項２３】
前記第１ネットワーク・サービス・ソフトウエア・コンポーネントは、第１無線装置の機能を追加するために前記無線ローカルエリア・ネットワークにおいて第１無線装置にフラッシュ画像を提供するためのフラッシュ・ソフトウエア・コンポーネントを含むことを特徴とする請求項１に記載の携帯装置。
【請求項２４】
前記第１ネットワーク・サービス・ソフトウエア・コンポーネントは、前記無線ローカルエリア・ネットワーク内の第１無線装置及び第２無線装置間でメッセージを提供するためのメッセージ・ソフトウエア・コンポーネントであることを特徴とする請求項１に記載の携帯装置。
【請求項２５】
前記第１ネットワーク・サービス・ソフトウエア・コンポーネントは、一定期間中に前記無線ローカルエリア・ネットワーク内の第１無線装置から前記セルラー・ネットワークまで転送されるパケットの量を制限するためのサービスレベル制約ソフトウエア・コンポーネントであることを特徴とする請求項１に記載の携帯装置。
【請求項２６】
前記第１ネットワーク・サービス・ソフトウエア・コンポーネントは、「Ｂｌｕｅｔｏｏｔｈ（登録商標）ＬＡＮアクセスプロフィール」ソフトウエア・コンポーネントであることを特徴とする請求項１に記載の携帯装置。
【請求項２７】
前記第１ネットワーク・サービス・ソフトウエア・コンポーネントは、「Ｂｌｕｅｔｏｏｔｈ（登録商標）ダイアルアップ・プロフィール・ソフトウエア」コンポーネントであることを特徴とする請求項１に記載の携帯装置。
【請求項２８】
前記第１ネットワーク・サービス・ソフトウエア・コンポーネントは、回路交換信号に応答してパケット交換をもたらすための「仮想Ｂｌｕｅｔｏｏｔｈ（登録商標）ダイアルアップ・プロフィール・ソフトウエア」コンポーネントであることを特徴とする請求項１に記載の携帯装置。
【請求項２９】
広域ネットワーク及び無線ローカルエリア・ネットワーク間の通信を提供するためのシステムであって、
広域ネットワークと通信するためのセルラートランシーバを有し、前記無線ローカルエリア・ネットワークにネットワーク・サービスを提供する第１のネットワーク・サービス・ソフトウェア・コンポーネントを付加するための短距離無線信号及びインターフェース・ソフトウェア・コンポーネントを用いて該広域ネットワーク及び無線ローカルエリア・ネットワーク間で複数のパケットを転送する経路指定ソフトウエア・コンポーネントを記憶する記憶装置を有し、広域ネットワーク・アドレスを有する携帯無線装置であって、前記第１のネットワーク・サービス・ソフトウェア・コンポーネントが、前記広域ネットワークに連結された処理装置から、前記記憶装置内にロードされる、携帯無線装置と、
前記複数のパケットの第１パケットを前記携帯無線装置に転送するための短距離(short range)トランシーバを有し、第１ローカルエリア・ネットワーク・アドレスを有する第１無線装置と、
複数のパケット内の第２のパケットを携帯無線装置に転送する短距離トランシーバを有し、第２のローカル・エリア・ネットワーク・アドレスを有する第２の無線装置と、
を含むことを特徴とするシステム。
【請求項３０】
前記第１無線装置は、デスクトップ・コンピュータ、ラップトップ・コンピュータ、携帯情報端末、ヘッドセット、ポケットベル、プリンタ、腕時計、デジタルカメラ、及び均等物から成るグループから選択されることを特徴とする請求項２９に記載のシステム。
【請求項３１】
前記携帯無線装置は、「グローバル・システム・フォー・モバイル・コミュニケーションズ（ＧＳＭ）」プロトコルを使用する携帯電話であることを特徴とする請求項２９に記載のシステム。
【請求項３２】
前記携帯無線装置は、「符号分割多重アクセス方式（ＣＤＭＡ）」プロトコルを使用する携帯電話であることを特徴とする請求項２９に記載のシステム。
【請求項３３】
前記携帯無線装置は、「ＣＤＭＡ２０００」プロトコルを使用する携帯電話であることを特徴とする請求項２９に記載のシステム。
【請求項３４】
前記携帯無線装置は、「ユニバーサル・モバイル・テレコミュニケーション・システム（ＵＭＴＳ）」プロトコルを使用する携帯電話であることを特徴とする請求項２９に記載のシステム。
【請求項３５】
前記携帯無線装置は、「時分割多重アクセス（ＴＤＭＡ）」プロトコルを使用する携帯電話であることを特徴とする請求項２９に記載のシステム。
【請求項３６】
第１広域ネットワーク内の管理処理装置と、
前記管理処理装置に連結されてワイヤレス・ローカルエリアネットワーク内にあり、前記無線ローカルエリア・ネットワークにネットワーク・サービスを提供する第１のネットワーク・サービス・ソフトウェア・コンポーネントを付加するための短距離無線信号及びインターフェース・ソフトウェア・コンポーネントを用いて前記第１広域ネットワーク及び前記ワイヤレス・ローカルエリア・ネットワーク間で複数のパケットを転送するための経路指定ソフトウエア・コンポーネントを有する携帯装置であって、前記第１のネットワーク・サービス・ソフトウェア・コンポーネントが、前記第１の広域ネットワークからの広域信号を用いて、前記管理処理装置から、前記携帯装置上にロードされる、携帯装置と、
前記携帯装置に連結されて前記ローカルエリア・ネットワーク内にあり、前記複数のパケットの第１パケットを該携帯装置に転送するための装置と、を含み、
前記管理処理装置が、ロードされた第１のネットワーク・サービス・ソフトウェア・コンポーネントをエネーブルする、管理ソフトウェア・コンポーネントを持つ、
ことを特徴とするシステム。
【請求項３７】
前記経路指定ソフトウエア・コンポーネントは、前記複数のパケットを前記管理処理装置までトンネリングさせ、
前記管理処理装置は、前記複数のパケットを処理する、
ことを特徴とする請求項３６に記載のシステム。
【請求項３８】
前記経路指定ソフトウエア・コンポーネントは、前記第１広域ネットワークとの第１「ＩＰ」セッションのリンクと、第２広域ネットワークとの第２「ＩＰ」セッションのリンクとを維持することを特徴とする請求項３６に記載のシステム。
【請求項３９】
前記経路指定ソフトウエア・コンポーネントは、受け取った「ＩＰ」パケットの量に応答して前記第１広域ネットワークとの第１「ＩＰ」セッションのリンクを維持することを特徴とする請求項３６に記載のシステム。
【請求項４０】
前記経路指定ソフトウエア・コンポーネントは、前記管理処理装置からの信号に応答して前記第１広域ネットワークとの第１「ＩＰ」セッションのリンクを開始することを特徴とする請求項３６に記載のシステム。